(57)【要約】【課題】本発明は、ＦＰＣのハウジングへの装着が容易で、且つ装着したＦＰＣをハウジングから抜け止めしてロック可能なロック部材を配設したカード用コネクタ装置を提供すること。【解決手段】本発明のカード用コネクタ装置の端子部材４は、一端部側にカード部材（図示せず）の接触部が可能なカード用接触部４ｂを形成し、他端部側にＦＰＣ１１が接触可能なＦＰＣ用接触部５ｂとを形成して、ＦＰＣ挿入部２ｂから挿入したＦＰＣ１１をＦＰＣ用接触部５ｂに圧接して抜け止め可能なロック部材７を配設したので、ＦＰＣ１１をハウジング２から確実に抜け止めすることができる。【選択図】　　　　図８
2004086829.tif 000002
【特許請求の範囲】
【請求項１】
複数の接触部を有するカード部材を前端部側から挿入して内部のカード収納部に装着可能なハウジングと、前記カード収納部に挿入して装着した前記カード部材の前記接触部に一端部側が接触可能な前記カード収納部内に配設した複数の端子部材とを備え、
前記ハウジングの後端部側には、前記端子部材の他端部側に接触可能なＦＰＣ（フレキシブルプリント基板）を挿入可能なＦＰＣ挿入部を形成し、前記端子部材には、前記一端部側に前記カード部材の前記接触部が接触可能なカード用接触部を形成すると共に、前記他端部側に前記ＦＰＣが接触可能な前記ＦＰＣ用接触部を形成し、更に、前記ＦＰＣ挿入部から挿入した前記ＦＰＣを前記ＦＰＣ用接触部に圧接して抜け止め可能なロック部材を配設したことを特徴とするカード用コネクタ装置。
【請求項２】
前記ロック部材は、前記ＦＰＣの挿入方向と同方向にスライド移動可能に前記ハウジングに係合支持されて、前記ＦＰＣ挿入部に挿入した前記ＦＰＣを非ロック状態とする第１の姿勢から、前記ＦＰＣの挿入方向と同方向に前記ロック部材を前記スライド移動させて第２の姿勢とすることにより、前記ＦＰＣが前記ＦＰＣ用接触部に圧接されてロック状態となることを特徴とする請求項１記載のカード用コネクタ装置。
【請求項３】
前記端子部材には、前記他端部側に前記ＦＰＣ挿入部から挿入した前記ＦＰＣの端部を差し込み可能な差込口を形成し、この差込口は、一方側に形成した前記ＦＰＣ用接触部と、このＦＰＣ用接触部と対向する他方側に形成したロック部材支持部とに挟まれて形成され、前記差込口に前記ＦＰＣを差し込んだ状態で前記ロック部材を前記端子部材の前記ロック部材支持部に沿って前記スライド移動させるようにしたことを特徴とする請求項２記載のカード用コネクタ装置。
【請求項４】
前記ロック部材には、前記端子部材の前記ロック部材支持部が嵌合可能な嵌合溝が形成され、この嵌合溝は、前記差込口に差し込んだ前記ＦＰＣを前記ＦＰＣ用接触部に圧接可能なＦＰＣ圧接部と、このＦＰＣ圧接部と対向する側に形成したガイド壁とに挟まれて形成され、前記ガイド壁と前記ＦＰＣ圧接部とは、所定間隔で形成した複数の連結壁で連結されていることを特徴とする請求項３記載のカード用コネクタ装置。
【請求項５】
前記嵌合溝は、前記複数の連結壁で仕切られてそれぞれが独立形成され、前記各嵌合溝に前記各端子部材をそれぞれ嵌合させるようにしたことを特徴とする請求項４記載のカード用コネクタ装置。
【請求項６】
前記ロック部材には、前記ハウジングに係止可能な係止部を形成し、前記ハウジングには、前記係止部が係合可能な係合部を形成し、前記係止部を前記係合部に係合させて、前記ロック部材を前記ハウジングに係合支持するようにしたことを特徴とする請求項２乃至５にいずれかに記載のカード用コネクタ装置。
【請求項７】
前記端子部材は、導電性を有する板材からなり、前記一端部側に延びて形成された板厚方向に弾性変形可能な腕部を有し、この腕部に前記カード用接触部を形成すると共に、前記他端部側に延びる基部を有し、この基部の幅方向の互いに対向する一側辺から前記基部の幅方向と直交する方向に延出させてＦＰＣ固定部を形成し、このＦＰＣ固定部に前記差込口を挟んで互いに対向する前記ロック部材支持部と前記ＦＰＣ用接触部とを形成したことを特徴とする請求項３乃至６のいずれかに記載のカード用コネクタ装置。
【請求項８】
前記端子部材は、前記腕部寄りの前記基部から前記ＦＰＣ固定部の前記延出方向と同方向に延出させて端子固定部を形成し、この端子固定部を前記ハウジングに形成した圧入孔に圧入することにより、前記端子部材を前記ハウジングに固着するようにしたことを特徴とする請求項７記載のカード用コネクタ装置。
【請求項９】
前記端子部材は、弾性を有する金属板からなり、前記ＦＰＣ固定部を前記基部の幅方向と直交する方向に折り曲げ形成すると共に、前記ＦＰＣ固定部の一部を打ち抜いて前記差込口を形成したことを特徴とする請求項７または８記載のカード用コネクタ装置。
【請求項１０】
前記ＦＰＣ用接触部は、前記差込口側に突出させて鈎状の抜け止め部を形成し、この抜け止め部に前記ＦＰＣを前記圧接するようにしたことを特徴とする請求項３乃至９のいずれかに項記載のカード用コネクタ装置。
【発明の詳細な説明】
【０００１】
【発明の属する技術分野】
本発明はカード用コネクタ装置に係わり、特にパーソナルコンピュータ等の記憶媒体に用いられるＩＣカードや、デジタルカメラ等の電子機器に使用されるカード等に書き込み、または読み出し可能なカード用コネクタ装置に関する。
【０００２】
【従来の技術】
パーソナルコンピュータ（以後ＰＣと称する）等の機器の増設記録装置としてＩＣカードに必要な情報を書き込み、あるいは読み出しを行うためにカード用コネクタ装置が一般的に用いられている。このような従来のカード用コネクタ装置として、図１３に示すように、所定の厚さのハウジング５１が配設され、このハウジング５１は、中央部に図示左右方向に貫通する貫通孔５２が形成されている。
また、貫通孔５２に挿入して装着可能な板状のカード部材５３と、ハウジング５１の貫通孔５２に着脱自在に保持されるＦＰＣ（フレキシブルプリント基板）５４とが配設されている。
そして、カード部材５３の下面には、後述する端子部材５５のカード用接点部５５ｃが接触可能な接点部（図示せず）が形成され、ＦＰＣ５４には、複数の配線パターン（図示せず）と、この配線パターンに接続する複数の導体部５４ａが、図示下面側に露出して形成されている。
【０００３】
また、貫通孔５２の図示左側の後端部寄りには、複数の端子部材５５が取り付けられている。この端子部材５５は、金属板を折り曲げて形成され、垂直状に延びる中央板５５ａと、この中央板５５ａの下部からハウジング５１の後端部方向に延びて上方へ屈曲され、ハウジング５１の図示右側の前端部方向に延びて略Ｕ字状に形成されたＦＰＣ用接触部５５ｂと、中央板５５ａの上部からハウジング５１の前端部方向に延びて下方に延出した後に上方に延びて略Ｌ字状に形成されたカード接触部５５ｃとを有して構成されている。
【０００４】
このような従来のカード用コネクタ装置は、ＰＣ等の機器（図示せず）側のＦＰＣ５４を、ハウジング５１の後端部側の貫通孔５２から挿入する。
すると、挿入されるＦＰＣ５４で、ＦＰＣ接触部５５ｂが下方に弾性変形すると共に、導体部５４ａがＦＰＣ接触部５５ｂに接触する。
そして、更にＦＰＣ５４を貫通孔５２内に挿入すると、ＦＰＣ５４は所定位置で停止して、ＦＰＣ接触部５５ｂと貫通孔５２の上壁との間にＦＰＣ５４の先端部が弾性狭持され、ＦＰＣ５４が端子部材５５に接触して導通するようになっている。
【０００５】
また、ハウジング５１の図示右側の前端部側から貫通孔５２内に挿入したカード部材５３を端子部材５５側に移動させると、スライド部材（図示せず）も共に移動する。
そして、カード部材５３が端子部材５５のカード用接触部５５ｃを上方に押し上げて弾性変形させ、カード部材５３の接点部（図示せず）がカード用接触部５５ｃに接触して導通するようになっている。
このような従来のカード用コネクタ装置は、ＰＣ等の機器側のＦＰＣ５４をハウジング５１の貫通孔５２に差し込むだけで、ＦＰＣ５４と端子部材５５とを電気的導通させることができ、ＰＣ等の装置側に従来のカード用コネクタ装置を取り付ける時の組立作業効率が良かった。
【０００６】
【特許文献１】
特開２００１−２６６９８１号公報
【０００７】
【発明が解決しようとする課題】
しかし、上述したような従来のカード用コネクタ装置におけるＦＰＣ５４は、端子部材５５のＦＰＣ用接触部５５ｂの弾性力だけで、貫通孔５２から抜け止めされているので、端子部材５５の弾性力が弱いとＦＰＣ５４が抜け易くなり導通が不安定になるおそれがあった。
また、、端子部材５５の弾性力を強くすると、ＦＰＣ５４の挿入性が悪くなって作業性が低下するという問題があった。
【０００８】
本発明は前述したような問題点に鑑みてなされたもので、ＦＰＣのハウジングへの装着が容易で、且つ装着したＦＰＣをハウジングから抜け止めしてロック可能なロック部材を配設したカード用コネクタ装置を提供することを目的とする。
【０００９】
【課題を解決するための手段】
上記課題を解決するための第１の解決手段として本発明のカード用コネクタ装置は、複数の接触部を有するカード部材を前端部側から挿入して内部のカード収納部に装着可能なハウジングと、前記カード収納部に挿入して装着した前記カード部材の前記接触部に一端部側が接触可能な前記カード収納部内に配設した複数の端子部材とを備え、前記ハウジングの後端部側には、前記端子部材の他端部側に接触可能なＦＰＣ（フレキシブルプリント基板）を挿入可能なＦＰＣ挿入部を形成し、前記端子部材には、前記一端部側に前記カード部材の前記接触部が接触可能なカード用接触部を形成すると共に、前記他端部側に前記ＦＰＣが接触可能な前記ＦＰＣ用接触部を形成し、更に、前記ＦＰＣ挿入部から挿入した前記ＦＰＣを前記ＦＰＣ用接触部に圧接して抜け止め可能なロック部材を配設したことを特徴とする。
【００１０】
また、上記課題を解決するための第２の解決手段として、前記ロック部材は、前記ＦＰＣの挿入方向と同方向にスライド移動可能に前記ハウジングに係合支持されて、前記ＦＰＣ挿入部に挿入した前記ＦＰＣを非ロック状態とする第１の姿勢から、前記ＦＰＣの挿入方向と同方向に前記ロック部材を前記スライド移動させて第２の姿勢とすることにより、前記ＦＰＣが前記ＦＰＣ用接触部に圧接されてロック状態となることを特徴とする。
【００１１】
また、上記課題を解決するための第３の解決手段として、前記端子部材には、前記他端部側に前記ＦＰＣ挿入部から挿入した前記ＦＰＣの端部を差し込み可能な差込口を形成し、この差込口は、一方側に形成した前記ＦＰＣ用接触部と、このＦＰＣ用接触部と対向する他方側に形成したロック部材支持部とに挟まれて形成され、前記差込口に前記ＦＰＣを差し込んだ状態で前記ロック部材を前記端子部材の前記ロック部材支持部に沿って前記スライド移動させるようにしたことを特徴とする。
【００１２】
また、上記課題を解決するための第４の解決手段として、前記ロック部材には、前記端子部材の前記ロック部材支持部が嵌合可能な嵌合溝が形成され、この嵌合溝は、前記差込口に差し込んだ前記ＦＰＣを前記ＦＰＣ用接触部に圧接可能なＦＰＣ圧接部と、このＦＰＣ圧接部と対向する側に形成したガイド壁とに挟まれて形成され、前記ガイド壁と前記ＦＰＣ圧接部とは、所定間隔で形成した複数の連結壁で連結されていることを特徴とする。
【００１３】
また、上記課題を解決するための第５の解決手段として、前記嵌合溝は、前記複数の連結壁で仕切られてそれぞれが独立形成され、前記各嵌合溝に前記各端子部材をそれぞれ嵌合させるようにしたことを特徴とする。
【００１４】
また、上記課題を解決するための第６の解決手段として、前記ロック部材には、前記ハウジングに係止可能な係止部を形成し、前記ハウジングには、前記係止部が係合可能な係合部を形成し、前記係止部を前記係合部に係合させて、前記ロック部材を前記ハウジングに係合支持するようにしたことを特徴とする。
【００１５】
また、上記課題を解決するための第７の解決手段として、前記端子部材は、導電性を有する板材からなり、前記一端部側に延びて形成された板厚方向に弾性変形可能な腕部を有し、この腕部に前記カード用接触部を形成すると共に、前記他端部側に延びる基部を有し、この基部の幅方向の互いに対向する一側辺から前記基部の幅方向と直交する方向に延出させてＦＰＣ固定部を形成し、このＦＰＣ固定部に前記差込口を挟んで互いに対向する前記ロック部材支持部と前記ＦＰＣ用接触部とを形成したことを特徴とする。
【００１６】
また、上記課題を解決するための第８の解決手段として、前記端子部材は、前記腕部寄りの前記基部から前記ＦＰＣ固定部の前記延出方向と同方向に延出させて端子固定部を形成し、この端子固定部を前記ハウジングに形成した圧入孔に圧入することにより、前記端子部材を前記ハウジングに固着するようにしたことを特徴とする。
【００１７】
また、上記課題を解決するための第９の解決手段として、前記端子部材は、弾性を有する金属板からなり、前記ＦＰＣ固定部を前記基部の幅方向と直交する方向に折り曲げ形成すると共に、前記ＦＰＣ固定部の一部を打ち抜いて前記差込口を形成したことを特徴とする。
【００１８】
また、上記課題を解決するための第１０の解決手段として、前記ＦＰＣ用接触部は、前記差込口側に突出させて鈎状の抜け止め部を形成し、この抜け止め部に前記ＦＰＣを前記圧接するようにしたことを特徴とする。
【００１９】
【発明の実施の形態】
以下、本発明の実施の形態のカード用コネクタ装置を図１〜図１２に基づいて説明する。図１は本発明のカード用コネクタ装置の上面図であり、図２は本発明に係わるハウジングの上面図であり、図３〜図６は発明に係わるロック部材を説明する図であり、図７、８は本発明に係わるロック部材の動作を説明する要部断面図であり、図９は本発明に係わる端子部材の斜視図であり、図１０〜図１２は本発明に係わるロック部材の動作を説明する図である。
【００２０】
まず、本発明の１実施の形態のカード用コネクタ装置１は、図２に示すように、樹脂材料等の絶縁材で形成されて外形が略矩形状のハウジング２が配設されている。このハウジング２は、図示左側の前端部側から図示右側の後端部側の途中までにカード収納部３が形成され、このカード収納部３には、内部にＩＣ（集積回路）を収納して、記録媒体として一般に使用されている公知のカード部材（図示せず）が収納可能になっている。
【００２１】
前記カード収納部３には、図２に示すように、底面３ａの左右両内壁面に段差部３ｂが形成されており、この段差部３ｂによってカード部材（図示せず）が所定の収納位置に案内されるようになっている。
また、カード収納部３の底面３ａは略Ｕ字状に切り欠きされた開口部２ａが形成され、この開口部２ａの図示右側でカード収納部３の奥側には、複数の端子部材４が並設されている。
このそれぞれの端子部材４の先端部に形成したカード用接触部４ｂが位置する部分のカード収納部３には、カード用接触部４ｂを囲むように突出壁３ｃが形成されており、この突出壁３ｃによってカード挿入部３内部に異物が挿入された場合、あるいはカード部材を逆挿入した場合に端子部材４のカード用接触部４ｂが破損することを防止している。
【００２２】
また、ハウジング２は、図示右側の後端部側に、後述するＦＰＣ１１を挿入可能なＦＰＣ挿入部２ｂが形成された底壁２ｃが設けられ、この底壁２ｃは、図７に示すように、右側の後端部側が鈎状に形成されている。
また、ＦＰＣ挿入部２ｂとカード収納部３との間のハウジング２には、後述する端子部材４を取り付けるときの端子位置決め部２ｄが突出形成され、この端子位置決め部２ｄには、後述する端子部材４の端子固定部６を圧入して端子部材４をハウジング２に固着可能な穴状の圧入孔２ｅが貫通形成されている。
【００２３】
また、図１０に示すハウジング２の下面側には、ＦＰＣ挿入部２ｂ側の底壁２ｃの側面に、後述するロック部材７の係止部７ｆが係合可能な鈎状の係合部２ｆが突出形成されている。
また、図２に示すハウジング２のカード収納部３には、図示上下外周側に互い対向して側壁２ｇ、２ｇが形成されている。
このそれぞれの側壁２ｇ、２ｇには、後述するカバー１０をスナップ係止するための複数の係止部２ｈが突出形成されている。
【００２４】
また、端子位置決め部２ｄに形成した複数の圧入孔２ｅには、それぞれの端子部材４が圧入されて固着されている。この端子部材４は、図９に示すように、所定の間隔を有して互いに絶縁されて並設されている。
また、端子部材４は、導電性を有すると共に弾性を有する板材、例えば金属板からなり、図示左方向の一端部側に延びて形成された、板厚方向に弾性変形可能な腕部４ａが設けられている。
この腕部４ａの先端部には、カード部材（図示せず）の接触部が接触可能なカード用接触部４ｂが、湾曲状に突出形成されている。
【００２５】
また、端子部材４は、腕部４ａの根本部分が階段状に折り曲げられて、ハウジング２の端子位置決め部２ｄに位置決め可能な位置決め部４ｃが形成されている。
この位置決め部４ｃを、ハウジング２の端子位置決め部２ｄに位置合わせした状態で、後述する端子固定部６を圧入孔２ｅに圧入可能になっている。
また、端子部材４は、位置決め部４ｃから図示右方向の他端部側に延びて所定の幅寸法の基部４ｄを形成し、この基部４ｄの互いに対向する幅方向の一側辺から、基部４ｄと直交する方向の直角状に延出させて、平坦状のＦＰＣ固定部５が形成されている。
前記端子部材４は、弾性を有する金属板で形成しているので、基部４ｄの幅方向と直交する方向にプレス等で直角状に折り曲げてＦＰＣ固定部５を形成している。
【００２６】
前記ＦＰＣ固定部５は、後述するＦＰＣ１１を差込可能な差込口５ａが打ち抜き形成され、この差込口５ａは、所定の幅寸法で略Ｕ字状に形成されている。
前記差込口５ａは、一方側（図示下方）に形成したＦＰＣ用接触部５ｂと、このＦＰＣ用接触部５ｂと対向する他方側（図示上方）に形成したロック部材支持部５ｃとに挟まれて形成されている。
また、ＦＰＣ用接触部５ｂは、先端部側に差込口５ａ側に突出する鈎状の抜け止め部５ｄが形成されている。
前記ＦＰＣ用接触部５ｂは、図示上下方向の幅寸法が板厚寸法より大きく形成されると共に、ロック部材支持部５ｃの幅寸法より小さく形成されて、ＦＰＣ用接触部５ｂを形成した先端部側が図示上下方向に弾性変形可能になっている。
【００２７】
そして、図７に示すように、端子部材４のＦＰＣ用接触部５ｂの下部に位置する底壁２ｃの内底面がテーパ状に形成されて、ＦＰＣ用接触部５ｂと底壁２ｃとの間に傾斜状の隙間が形成されている。
また、端子部材４は、腕部４ａ寄りの基部４ｄの一部を、ＦＰＣ固定部５と同方向に折り曲げて、端子固定部６が形成され、この端子固定部６は、両側部が山形状のギザギザ状に形成されている。
前記端子固定部６をハウジング２に形成した圧入孔２ｄに圧入することにより、端子部材４をハウジング２に固着可能になっている。
【００２８】
また、端子部材４は、差込口５ａの抜け止め部５ｄを形成した部分の開口寸法が、後述するロック部材７のＦＰＣ圧接部７ｂの厚さと、後述するＦＰＣ１１の板厚とを加算した寸法よりマイナスした寸法に形成されている。
そのために、差込口５ａにロック部材７のＦＰＣ圧接部７ｂとＦＰＣ１１の端部とを差し込むと、ＦＰＣ１１の端部がＦＰＣ用接触部５ｂに形成した抜け止め部５ｄの圧接されて、ＦＰＣ用接触部５ｂが弾性変形するようになっている。
【００２９】
また、図７に示すように、端子部材４のロック部材支持部５ｃに沿って矢印Ａ、Ｂ方向にスライド移動可能なロック部材７が配設されている。このロック部材７は樹脂材料からなり、ロック部材支持部５ｃが遊嵌可能な嵌合溝７ａが形成されている。前記ロック部材７は、嵌合溝７ａを挟んで図示下方側に、差込口５ａに差し込んだ後述するＦＰＣ１１をＦＰＣ用接触部５ｂの抜け止め部５ｄに圧接可能なＦＰＣ圧接部７ｂが形成され、このＦＰＣ圧接部７ｂと対向する図示上方側に板状のガイド壁７ｃが形成されている。
そして、ロック部材７を矢印Ａ、Ｂ方向に移動させることにより、ガイド壁７ｃが端子部材４の基部４ｄの上面をスライド移動するようになっている。
また、ロック部材７は、嵌合溝７ａを挟んで互いに対向するＦＰＣ圧接部７ｂとガイド壁７ｃとの図７に示す右側端部が、壁部７ｄによって連結されて一体化されている。
【００３０】
このようなロック部材７の上面視の形状は、図３に示すように、ＦＰＣ圧接部７ｂとガイド壁７ｃが縦長状に形成され、壁部７ｄがガイド壁７ｃより更に縦長に形成されて、ガイド壁７ｃの図示上下端部から壁部７ｄが突出して形成されている。この上下方向に突出する壁部７ｄ、７ｄからは、壁部７ｄと直交する方向で図示左方向に突出する一対の係止腕７ｅ、７ｅが形成されている。この一対の係止腕７ｅ、７ｅは、先端部に鈎状の係止部７ｆが形成されている。
また、図３、４に示すガイド壁７ｃの２箇所には、縦方向の壁部７ｄと直交する横方向に略長方形の一対のスリット孔７ｇ、７ｇが貫通形成されており、このスリット孔７ｇに後述するカバー１０の係合片１０ｄ係合可能になっている。　前記ロック部材７は、図９、８に示すように、係止部７ｆがハウジング２の係合部２ｆにスナップ係合されて、ハウジング２に係合支持されている。
【００３１】
このように、ハウジング２に係合支持されたロック部材７は、嵌合溝７ａを端子部材４のロック部材支持部５ｃに位置合わせして、矢印Ａ方向に挿入すると、ロック部材支持部５ｃに沿って移動して、ＦＰＣ圧接部７ｂが差込口５ａ内に挿入されると共に、差込口５ａに先に差し込まれている後述するＦＰＣ１１が、図８に示すように、抜け止め部５ｄに圧接されて、後述するＦＰＣ１１の導体パターン１１ｃが端子部材４に電気的に導通するようになっている。
また、ロック部材７のＦＰＣ圧接部７ｂを差込口５ａに差し込んで、ＦＰＣ１１を抜け止め部５ｄに圧接すると、ＦＰＣ用接触部５ｂが、下方の底壁２ｃとの間の隙間側に弾性変形するようになっている。
また、ＦＰＣ用接触部５ｂは、図示上下方向の幅寸法が板厚寸法より幅広に形成されているので、ＦＰＣ用接触部５ｂが幅方向の下方側に弾性変形する時の弾性力は、板厚方向に弾性変形する時の弾性力より大きくすることができる。
【００３２】
また、図２に示すハウジング２の図示下方の側壁２ｇ近傍の底面３ａ上には、カード収納部３に装着したカード部材（図示せず）を排出可能なスライド部材８が配設され、このスライド部材８はコイルバネ９に弾性付勢されて、図示左右方向にスライド自在になっている。
また、ハウジング２は、カード収納部３の上方を覆う金属板からなるカバー１０が配設されており、このカバー１０は、図１に示すように、２個の矩形状の開口部１０ａと、カード収納部３に挿入したカード部材の上面に当接可能な舌片部１０ｂ、１０ｃとが形成されている。
【００３３】
また、カバー１０は、図示右端部側に一対の係合片１０ｄ、１０ｄが折り曲げ形成され、この係合片１０ｄ、１０ｄが、ロック部材７のスリット孔７ｇに係合可能になっている。
このようなカバー１０は、図１に示す上下の側板１０ｅ、１０ｅがハウジング２の側壁２ｇに沿って折り曲げられて、ハウジング２を挟むようになっている。また、側板１０ｅの一部を外向きに折り曲げて、ＰＣ等の機器側の基板（図示せず）に取り付けるための取付部１０ｆが形成されている。
そして、側板１０ｅに形成した係止孔（図示せず）を側壁２ｇの係止部２ｈにスナップ係合させることにより、カバー１をハウジング２に装着することができる。
【００３４】
このような構成の本発明のカード用コネクタ装置１は、パーソナルコンピュータ（以後ＰＣと称する）等の機器（図示せず）側に取り付けて、機器側のＦＰＣ（フレキシブルプリント基板）１１の端部を、ＦＰＣ挿入部２ｂから端子部材４の差込口５ａに差し込む。この状態でロック部材７を矢印Ａ方向にスライド移動させることにより、ＦＰＣ１１がＦＰＣ用接触部５ｂの抜け止め部５ｄに圧接されて、差込口５ａから抜け止めされるようになっている。
前記ＦＰＣ１１は、図１、図７、に示すように、所定厚さのフィルム状の基材１１ａを有し、この基材１１ａの一端部側で一方の面（図示上面）には、基材１１ａの一端部側の変形を防止するために変形防止部材１１ｂが設けられ、他方の面には複数の回路パターン（図示せず）に接続された複数の導体パターン１１ｃが形成されている。
【００３５】
そして、本発明のカード用コネクタ装置１へのＦＰＣ１１の装着方法を説明すると、まず、ＦＰＣ１１を装着する前のロック部材７は、係止部７ｆをハウジング２の係合部２ｆに係合支持した状態で、矢印Ｂ方向に移動させると、図１２に示すように、係止部７ｆが係合部２ｆに当接する共に、図７に示すように、カバー部材１０の係合片１０ｄがロック部材７のスリット溝７ｇの一方の内壁に当接して、ロック部材７の矢印Ｂ方向への移動がストップする。
このような、図７、図１２に示すロック部材７の状態を第１の姿勢とし、このロック材７が第１の姿勢の時に、ＦＰＣ挿入部２ｂから差込口５ａに挿入されるＦＰＣ１１は、図７の２点鎖線で示すように、動きが自由な非ロック状態となっている。
【００３６】
次に、図７に示す２点鎖線の位置までＦＰＣ１１を挿入し、第１の姿勢のロック部材７を、端子部材４のロック部材支持部５ｃに沿って矢印Ａ方向にスライド移動させると、ロック部材７のＦＰＣ圧接部７ｂがＦＰＣ１１を抜け止め部５ｄに圧接する。この時のロック部材７は、第２の姿勢となって、矢印Ａ方向への移動がストップすると共に、差込口５ａ内で圧入状態となっているので、矢印Ｂ方向への動きも規制されている。
また、ロック部材７が第２の姿勢の時のＦＰＣ１１は、差込口５ａから抜け止めされてロック状態となっている。
また、第２の姿勢に位置した時のロック部材７の係止部７ｆは、図１１に示すように、ハウジング２の係合部２ｆから離れた状態になる。
【００３７】
そして、ロック部材７が第２の姿勢になると、ＦＰＣ１１の導体パターン１１ｃがＦＰＣ用接触部５ｂの抜け止め部５ｄに圧接されて、ＦＰＣ１１の導体パターンと端子部材４とが接触して電気的に導通すると共に、ＦＰＣ１１がハウジング２から抜け止めされる。
即ち、ロック部材７は、ＦＰＣ１１の矢印Ａの挿入方向と同方向にスライド移動可能にハウジング２に係止され、ＦＰＣ挿入部２ｂに挿入したＦＰＣ１１を非ロック状態とする第１の姿勢から、矢印Ａ方向にスライド移動させて第２の姿勢にすることにより、ＦＰＣ用接触部５ｂにＦＰＣ１１が圧接されて、ＦＰＣ１１がロック状態となる。
【００３８】
このような本発明のカード用コネクタ装置は、ＦＰＣ１１の導体パターン１１ｃと端子部材４とを確実に接触させて電気的に導通することができるので、半田付けしなくともＦＰＣ１１を取り付けることができ作業性が良い。
また、ロック部材７が第２の姿勢にある限り、ＦＰＣ１１は抜け止めされているので、ＦＰＣ１１を誤って矢印Ｂ方向に引っ張ったとしても、ハウジング２から抜け出すことがない。
【００３９】
また、ＰＣ等に機器側の修理等で、ＦＰＣ１１をハウジング２から抜き取るには、第２の姿勢にあるロック部材７を矢印Ｂ方向に引っ張って、第１の姿勢にすることにより、ＦＰＣ１１が非ロック状態となり、容易にＦＰＣ挿入部２ｂからＦＰＣ１１を取り出すことができる。
また、ロック部材７の嵌合溝７ａを挟んで互いに対向するＦＰＣ圧接部７ｂとガイド壁７ｃとは、連結壁７ｈで連結されているので、図５に示す長手方向におけるロック部材７の機械的強度をアップさせることができる。
そのために、ロック部材７を第２の姿勢にしてＦＰＣ１１をロック状態としたときに、縦長状のロック部材７にネジレ等の変形が発生することがないので、ＦＰＣ１１の複数の導体パターン１１ｃと複数の端子部材４とを、バラツキ無く接触させることができる。
【００４０】
また、ロック部材７の嵌合溝７ａは、図５、６に示すように、複数の連結壁７ｈで仕切られてそれぞれが独立しており、このそれぞれが独立した嵌合溝７ａに、互いに隣り合う複数の端子部材４の基部４ｄとロック部材支持部５ｃが嵌合するようになっている。
そのために、互いに隣り合う端子部材４は、ロック部材７の連結壁７ｈで仕切られて、確実に隣同士を絶縁することができる。
【００４１】
また、本発明の実施の形態の説明では、端子部材４を金属板で説明したが、端子部材４は導電性があって、弾性があるものであれば何でも良く、例えば、導電材料を練り込みした高剛性のエンジンアリングプラスチックでも良い。
このようなエンジンアリングプラスチックからなる端子部材４は、成形加工で図９に示すような形状にすることができ、製造が容易である。
【００４２】
【発明の効果】
以上説明したように、本発明のカード用コネクタ装置は、ＦＰＣ挿入部から挿入した前記ＦＰＣを前記ＦＰＣ用接触部に圧接して抜け止め可能なロック部材を配設したので、ハウジング内部の端子部材とＦＰＣとの接触を強固にすることができると共に、ＦＰＣを確実に抜け止めすることができる。
そのために、ＦＰＣと複数の端子部材とを半田付けすることなく電気的に導通させることができ、ＦＰＣの取り付け作業性が良いカード用コネクタ装置を提供できる。
【００４３】
また、ＦＰＣ挿入部に挿入したＦＰＣを非ロック状態とする第１の姿勢から、スライド移動させて第２の姿勢とすることにより、ＦＰＣがＦＰＣ用接触部に圧接されてロック状態となるので、ロック部材をスライド移動させるだけで、ＦＰＣをハウジングから抜け止めすることができ、ＦＰＣの取付作業性を更に良くすることができる。。
【００４４】
また、差込口にＦＰＣを差し込んだ状態でロック部材を端子部材のロック部材支持部に沿ってスライド移動させるようにしたので、スライド操作が容易なロック部材とすることができる。
【００４５】
また、ロック部材に形成した嵌合溝を挟んで形成したガイド壁とＦＰＣ圧接部とは、所定間隔で形成した複数の連結壁で連結されているので、連結壁が補強材の役目をし、ロック部材によるロックを行う際、ＦＰＣ圧接部の変形を防止できる。従って、ＦＰＣをＦＰＣ接触部に強く押しつけることができ、ＦＰＣと端子部材との接触を確実に行うことができる。
【００４６】
また、嵌合溝は、前記複数の連結壁で仕切られてそれぞれが独立形成され、前記各嵌合溝に、前記各端子部材を嵌合させるようにしたので、嵌合溝に嵌合させた互いに隣り合う端子部材は、連結壁で仕切られて、互いに隣り合う端子部材を確実に絶縁することができる。
【００４７】
また、ロック部材には、ハウジングに係止可能な係止部を形成し、ハウジングには、係止部が係合可能な係合部を形成し、係止部を係合部に係合させて、ロック部材をハウジングに係合支持するようにしたので、ロック部材はハウジングに一体化されており、組立性の良いカード用コネクタ装置を提供できる。
【００４８】
また、記端子部材は、ＦＰＣ固定部に差込口を挟んで互いに対向するロック部材支持部とＦＰＣ用接触部とを形成したので、ＦＰＣ用接触部を端子部材の板厚より厚くすることができ、ＦＰＣが圧接するＦＰＣ用接触部の圧接力を大きくすることができ、端子部材とＦＰＣとの接触圧をバラツキ無く安定させることができる。
【００４９】
また、端子部材に形成した端子固定部をハウジングに形成した圧入孔に圧入することにより、端子部材をハウジングに固着するようにしたので、ハウジングへの端子部材の取付が容易であり組立性が良い。
【００５０】
また、端子部材は、弾性を有する金属板からなり、ＦＰＣ固定部を基部の幅方向と直交する方向に折り曲げ形成すると共に、ＦＰＣ固定部の一部を打ち抜いて差込口を形成したので、端子部材をプレス等で打ち抜き形成することができ、端子部材を低コストにすることができる。
【００５１】
また、ＦＰＣ用接触部は、差込口側に突出させて鈎状の抜け止め部を形成し、この抜け止め部にＦＰＣを圧接するようにしたので、抜け止め部がＦＰＣに喰い込むようになって、更に確実にＦＰＣを抜け止めすることができる。
【図面の簡単な説明】
【図１】本発明のカード用コネクタ装置の上面図である。
【図２】発明に係わるハウジングの上面図である。
【図３】発明に係わるロック部材を説明する図である。
【図４】発明に係わるロック部材を説明する図である。
【図５】発明に係わるロック部材を説明する図である。
【図６】発明に係わるロック部材を説明する図である。
【図７】本発明に係わるロック部材の動作を説明する要部断面図である。
【図８】本発明に係わるロック部材の動作を説明する要部断面図である。
【図９】本発明に係わる端子部材の斜視図である。
【図１０】本発明に係わるロック部材の動作を説明する図である。
【図１１】本発明に係わるロック部材の動作を説明する図である。
【図１２】本発明に係わるロック部材の動作を説明する図である。
【図１３】従来のカード用コネクタ装置を説明する要部断面図である。
【符号の説明】
１　本発明のカード用コネクタ装置
２　ハウジング
２ａ　切り欠き部
２ｂ　ＦＰＣ挿入部
３　カード収納部
４　端子部材
４ａ　腕部
４ｂ　カード用接触部
４ｄ　基部
５　ＦＰＣ固定部
５ａ　差込口
５ｂ　ＦＰＣ用接触部
５ｃ　ロック部材支持部
５ｄ　抜け止め部
６　端子固定部
７　ロック部材
７ａ　嵌合溝
７ｂ　ＦＰＣ圧接部
７ｃ　ガイド壁
７ｄ　壁部
７ｅ　係止腕
７ｆ　係止部
７ｇ　スリット孔
７ｈ　連結壁
１１　ＦＰＣ
１１ｃ　導体パターン
【図１】
2004086829.tif 000003
【図２】
2004086829.tif 000004
【図３】
2004086829.tif 000005
【図４】
2004086829.tif 000006
【図５】
2004086829.tif 000007
【図６】
2004086829.tif 000008
【図７】
2004086829.tif 000009
【図８】
2004086829.tif 000010
【図９】
2004086829.tif 000011
【図１０】
2004086829.tif 000012
【図１１】
2004086829.tif 000013
【図１２】
2004086829.tif 000014
【図１３】
2004086829.tif 000015